(57)【要約】【課題】駐車場を管理するシステムであって、駐車場の設備コストを削減することが容易であるものを提供する。【解決手段】駐車場を管理する駐車場管理システムは、前記駐車場に設置される設備であって、ユーザによる前記駐車場の駐車条件を表す駐車関連データを出力するものと、前記駐車場に居る前記ユーザの通信機器であって、前記出力された駐車関連データを、前記駐車場から、その駐車場を遠隔地において管理する管理センタに送信するものと、前記管理センタに設置され、前記通信機器から前記駐車関連データを受信する受信部とを含むように構成される。【選択図】図１２
2020057435.tif 000002
【特許請求の範囲】
【請求項１】
駐車場を管理する駐車場管理システムであって、
前記駐車場に設置される設備であって、その駐車場のユーザに係る駐車料金の支払いまたは駐車時間に関する日時と金額と駐車時間の長さとのうちの少なくとも一つを表す駐車関連データであって暗号化されたものを出力するものと、
前記駐車場に居る前記ユーザの通信機器であって、前記出力された駐車関連データを、復号化することなく、前記駐車場から、その駐車場を遠隔地において管理する管理センタに送信するものと、
前記管理センタに設置され、前記通信機器から前記駐車関連データを受信して復号化する受信部と
を含む駐車場管理システム。
【請求項２】
駐車場を管理する駐車場管理方法であって、
前記駐車場に設置される設備が、前記駐車場のユーザに係る駐車料金の支払いまたは駐車時間に関する日時と金額と駐車時間の長さとのうちの少なくとも一つを表す駐車関連データであって暗号化されたものを出力する出力工程と、
前記駐車場に居る前記ユーザの通信機器が、前記出力された駐車関連データを、復号化することなく、前記駐車場から、その駐車場を遠隔地において管理する管理センタに送信する送信工程と、
前記管理センタにおいて、受信部が、前記通信機器から前記駐車関連データを受信して復号化する受信工程と
を含む駐車場管理方法。
【請求項３】
前記暗号化された駐車関連データは、画像として表現され、
前記通信機器は、
イメージリーダを有し、そのイメージリーダを用いて前記画像を読み取って入力する画像入力部と、
その入力された画像を復号化することなく前記管理センタに送信する送信部と
を含む請求項１に記載の駐車場管理システム。
【請求項４】
前記暗号化された駐車関連データは、画像として表現され、
前記通信機器は、イメージリーダを有し、
当該駐車場管理方法は、さらに、
前記通信機器が、前記イメージリーダを用いて前記画像を読み取って入力する画像入力工程を含み、
前記送信工程は、前記通信機器が、前記入力された画像を復号化することなく前記管理センタに送信する請求項２に記載の駐車場管理方法。
【発明の詳細な説明】
【技術分野】
【０００１】
本発明は、駐車場を管理する技術に関するものである。
【背景技術】
【０００２】
車両のための複数の駐車位置を有する駐車場が既に広く普及している。この種の駐車場は、駐車位置への車両の搬送方式の観点で分類すると、ユーザが自ら車両を運転して駐車位置に搬送する方式と、パレットやケージを機械的に移動させて車両を機械的に駐車位置に搬送する機械式とに分類される。また、その駐車場は、ユーザに無料で貸される場合もあれば、有料で貸される場合もある。有料駐車場は、ユーザに貸す時間の長さという観点で分類すれば、月極めと、時間貸し（「日貸し」を含む。）とに分類される。
【０００３】
時間貸し駐車場は、駐車料金の支払い方式という観点で分類すれば、駐車開始に先立ってユーザが駐車料金を支払う前払い式（ただし、出庫時に、駐車料金の不足分を支払う可能性を含む。）と、駐車終了時にユーザが駐車料金を支払う後払い式とに分類される。
【０００４】
また、時間貸し駐車場は、その管理方式という観点で分類すれば、その駐車場を管理・監視する担当者が現場に常駐している有人式と、そのような担当者が常駐しておらず、散発的に現場に派遣される無人式とに分類される。
【０００５】
この種の駐車場およびその駐車場に設置される設備（発券機を含む。）を開示している公知文献として、例えば、特許文献１および２が存在する。
【０００６】
特許文献１は、設備コストがかからず管理が容易で十分に採算がとれる自転車を対象とした駐車場を管理する技術を開示している。この技術によれば、不正駐車を行った自転車の出庫を阻止するための装置を設置せずに済むため、駐車場の設備コストが低減する。
【０００７】
具体的には、特許文献１に開示された技術によれば、ユーザは、空いている駐車位置に自転車を駐車させた後、発券機に移動し、その発券機に自身の登録番号を入力し、さらに、必要な駐車料金を投入する。発券機は、入力された登録番号を、駐車料金が精算済みである自転車についての登録番号として記録する。
【０００８】
さらに、特許文献１に開示された技術によれば、駐車場を管理する管理作業者は、自身の携帯端末により、駐車中の自転車に貼付されているラベルから登録番号を読み取る。一方、管理作業者は、発券機から、その発券機に記録されている登録番号、すなわち、駐車料金が精算済みである自転車についての登録番号を取り込む。
【０００９】
その後、管理作業者は、駐車中の自転車から読み取った登録番号と、発券機から取り込んだ登録番号との照合を行い、その照合の結果により、駐車中の自転車について駐車料金が精算済みであるか否か、すなわち、その自転車が不正駐車されていないか否かを確認する。管理作業者は、駐車料金が未清算である自転車に、料金支払いを催促するシールを貼付し、それにより、その自転車の持ち主であるユーザに、駐車料金が未清算であることを通知する。
【００１０】
特許文献２は、前払い式の無人駐車場を開示している。この駐車場には、駐車が許可された時間を記録した駐車カードを有料で発行するカード発行機と、常には閉じられている入庫ゲートと、入庫口に設置され、駐車カードが挿入されると、その駐車カードが適切であることを条件に入庫ゲートを開く入庫管理装置とが設置される。さらに、この駐車場には、常には閉じられている出庫ゲートと、出庫口に設置され、駐車カードが挿入されると、その駐車カードが適切であることを条件に出庫ゲートを開く出庫管理装置とが設置される。
【００１１】
特許文献２に開示された技術によれば、ユーザは、この駐車場からの出庫時、出庫管理装置に対して駐車カードを挿入する。出庫管理装置は、その挿入された駐車カードから情報を読み取り、その読み取られた情報が、実際駐車時間の長さが見込み駐車時間を超過したことを示す場合には、出庫管理装置は、ユーザに対し、追加駐車料金の支払いを請求する。その請求に応じ、ユーザが追加駐車料金を出庫管理装置に対して支払えば、出庫ゲートが開かれる。必要な追加駐車料金をユーザが支払わない限り、出庫ゲートが開かれないため、ユーザが追加駐車料金を支払うことなく出庫する不正行為が防止される。
【００１２】
したがって、特許文献２に開示された技術によれば、前払い式の無人駐車場でありながら、駐車場管理者が駐車場に定期的に出向いて不正駐車を発見するための作業を不可欠とすることなく、不正駐車を防止することができる。
【先行技術文献】
【特許文献】
【００１３】
【特許文献１】特開２００３−２４２５３７号公報
【特許文献２】特開２００６−１４６３２５号公報
【発明の概要】
【発明が解決しようとする課題】
【００１４】
特許文献１に開示された技術によれば、作業管理者は、不正駐車している自転車を発見することと、不正駐車の継続を止めさせることが可能である。しかし、特許文献１に開示された技術では、不正駐車している自転車を発見するために、作業管理者は、自ら駐車場に定期的に出向いて、駐車中のすべての自転車について個別に、前述の、携帯端末を用いた照合を行うことが必要である。また、不正駐車の継続を止めさせるために、作業管理者は、不正駐車している自転車に個別に、前述のシールを貼付するという作業を行うことが必要である。
【００１５】
このように、特許文献１に開示された技術では、不正駐車を防止するために、作業管理者に課される負担が大きく、そのため、駐車場につき、人件費を含む管理コストを削減することが困難であった。
【００１６】
したがって、駐車場の管理コストを削減することが容易である駐車場用発券機を提供することが望ましい。
【００１７】
また、特許文献１に開示された技術では、ユーザは、発券機に対し、駐車に先立って駐車料金を支払うために、ユーザ識別番号を発券機に入力しなければならず、面倒であった。また、それに伴い、発券機は、ユーザ識別番号を入力する機能と、入力されたユーザ識別番号を表すデータを記録する機能と、その記録されたデータを外部に出力する機能とを有するように設計しなければならず、発券機の設備コストを低減させるにも限界があった。
【００１８】
したがって、駐車場を利用するユーザの負担を軽減するとともに、発券機または精算機の設備コストを低減させることが容易である駐車場用発券機を提供することが望ましい。
【００１９】
また、特許文献２に開示された技術によれば、駐車場に、カード発行機、入庫ゲート、入庫管理装置、出庫ゲートおよび出庫管理装置を設置することが必要である。これは、駐車場に発券機しか設置せずに済む場合より、駐車場の設備コスト（装置コストおよび設置作業コストを含む。）を増加させる要因となる。また、この技術によれば、入庫管理装置も出庫管理装置も、駐車カードから情報を読み取る機能を有することが必要である。このことは、入庫管理装置および出庫管理装置の設備コストの増加を招来し、このことも、駐車場の設備コストを増加させる要因となる。
【００２０】
したがって、駐車場の設備コストを削減することが容易である駐車場用発券機を提供することが望ましい。
【００２１】
以上の知見を背景にして、本発明は、駐車場を管理する技術であって、駐車場の設備コストを削減することを容易にするものを提供することを課題としてなされたものである。
【課題を解決するための手段】
【００２２】
その課題を解決するために、本発明の第１のアスペクトによれば、駐車場を管理する駐車場管理システムであって、
前記駐車場に設置される設備であって、その駐車場のユーザに係る駐車料金の支払いまたは駐車時間に関する日時と金額と駐車時間の長さとのうちの少なくとも一つを表す駐車関連データであって暗号化されたものを出力するものと、
前記駐車場に居る前記ユーザの通信機器であって、前記出力された駐車関連データを、復号化することなく、前記駐車場から、その駐車場を遠隔地において管理する管理センタに送信するものと、
前記管理センタに設置され、前記通信機器から前記駐車関連データを受信する受信部と
を含む駐車場管理システムが提供される。
【００２３】
また、本発明の第２のアスペクトによれば、駐車場を管理する駐車場管理方法であって、
前記駐車場に設置される設備が、前記駐車場のユーザに係る駐車料金の支払いまたは駐車時間に関する日時と金額と駐車時間の長さとのうちの少なくとも一つを表す駐車関連データであって暗号化されたものを出力する出力工程と、
前記駐車場に居る前記ユーザが、通信機器を介して、前記出力された駐車関連データを、復号化することなく、前記駐車場から、その駐車場を遠隔地において管理する管理センタに送信する送信工程と、
前記管理センタにおいて、受信部が、前記通信機器から前記駐車関連データを受信する受信工程と
を含む駐車場管理方法が提供される。
【００２４】
本発明の第１の側面によれば、駐車場を管理する駐車場管理システムであって、
前記駐車場に設置され、その駐車場のユーザに係る駐車料金の支払いまたは駐車時間に関する日時と金額と駐車時間の長さとのうちの少なくとも一つを表す駐車関連データであって暗号化されたものを前記駐車場に居る前記ユーザに提供する発券機または精算機と、
前記駐車場に居る前記ユーザの通信機器であって、前記駐車関連データを、復号化することなく、前記駐車場から、その駐車場を遠隔地において管理する管理センタに送信するものと、
前記管理センタに設置され、前記通信機器から送信された駐車関連データを受信する受信部と
を含む駐車場管理システムが提供される。
【００２５】
また、本発明の第２の側面によれば、駐車場を管理する駐車場管理方法であって、
前記駐車場に設置される発券機または精算機が、前記駐車場のユーザに係る駐車料金の支払いまたは駐車時間に関する日時と金額と駐車時間の長さとのうちの少なくとも一つを表す駐車関連データであって暗号化されたものを前記駐車場に居る前記ユーザに提供する提供工程と、
前記駐車場に居る前記ユーザが、通信機器を介して、前記駐車関連データを、復号化することなく、前記駐車場から、その駐車場を遠隔地において管理する管理センタに送信する送信工程と、
前記管理センタにおいて、受信部が、前記通信機器から駐車関連データを受信する受信工程と
を含む駐車場管理方法が提供される。
【００２６】
また、本発明の第３の側面によれば、駐車場を管理する駐車場管理システムであって、
前記駐車場に設置され、ユーザによる前記駐車場の駐車条件を表す駐車関連データであって暗号化されたものを前記駐車場に居る前記ユーザに提供する発券機または精算機と、
前記駐車場に居る前記ユーザの通信機器であって、前記駐車関連データを、前記駐車場から、その駐車場を遠隔地において管理する管理センタに送信するものと、
前記管理センタに設置され、前記通信機器から送信された駐車関連データを受信して復号化する受信部と
を含む駐車場管理システムが提供される。
【００２７】
また、本発明の第４の側面によれば、駐車場を管理する駐車場管理方法であって、
前記駐車場に設置される発券機または精算機が、ユーザによる前記駐車場の駐車条件を表す駐車関連データであって暗号化されたものを前記駐車場に居る前記ユーザに提供する提供工程と、
前記駐車場に居る前記ユーザが、通信機器を介して、前記駐車関連データを、前記駐車場から、その駐車場を遠隔地において管理する管理センタに送信する送信工程と、
前記管理センタにおいて、受信部が、前記通信機器から駐車関連データを受信して復号化する受信工程と
を含む駐車場管理方法が提供される。
【００２８】
また、本発明の第１のアスペクトによれば、駐車場を管理する駐車場管理システムであって、
前記駐車場に設置され、その駐車場のユーザに係る駐車料金の支払いまたは駐車時間に関する日時と金額と駐車時間の長さとのうちの少なくとも一つを表す駐車関連データを前記駐車場に居る前記ユーザに提供する発券機または精算機と、
前記駐車場に居る前記ユーザの通信機器であって、前記提供された駐車関連データを、前記駐車場から、その駐車場を遠隔地において管理する管理センタに送信するものと、
前記管理センタに設置され、前記通信機器から送信された駐車関連データを受信する受信部と
を含む駐車場管理システムが提供される。
【００２９】
また、本発明の第２のアスペクトによれば、駐車場を管理する駐車場管理方法であって、
前記駐車場に設置される発券機または精算機が、前記駐車場のユーザに係る駐車料金の支払いまたは駐車時間に関する日時と金額と駐車時間の長さとのうちの少なくとも一つを表す駐車関連データを前記駐車場に居る前記ユーザに提供する提供工程と、
前記駐車場に居る前記ユーザが、通信機器を介して、前記提供された駐車関連データを、前記駐車場から、その駐車場を遠隔地において管理する管理センタに送信する送信工程と、
前記管理センタにおいて、前記通信機器から駐車関連データを受信する受信工程と、
前記管理センタにおいて、前記受信した駐車関連データを用いて前記駐車場を管理する管理工程と
を含む駐車場管理方法が提供される。
【００３０】
また、本発明の第１の側面によれば、 駐車場を管理する駐車場管理システムであって、
前記駐車場に設置される発券機または精算機に設けられ、前記駐車場のユーザに係る駐車料金の支払いまたは駐車時間に関する日時と金額と駐車時間の長さとのうちの少なくとも一つを表す実データであってユーザが解読可能であるものを、前記ユーザが解読することはできない暗号データに暗号化して前記ユーザに視覚的に提供する暗号化部と、
前記駐車場を遠隔地において管理する管理センタにおいて、前記ユーザから通信機器を介して受信した前記暗号データを解読してその暗号データを前記実データに復元する暗号解読器と
を含む駐車場管理システムが提供される。
【００３１】
また、本発明の第２の側面によれば、駐車場を管理する駐車場管理方法であって、
前記駐車場に設置される発券機または精算機が、前記駐車場のユーザに係る駐車料金の支払いまたは駐車時間に関する日時と金額と駐車時間の長さとのうちの少なくとも一つを表す実データであってユーザが解読可能であるものを、前記ユーザが解読することはできない暗号データに暗号化して前記ユーザに視覚的に提供する暗号化工程と、
前記駐車場を遠隔地において管理する管理センタにおいて、暗号解読器が、前記ユーザから通信機器を介して受信した前記暗号データを解読してその暗号データを前記実データに復元する暗号解読工程と
を含む駐車場管理方法が提供される。
【００３２】
本発明の第１アスペクトによれば、駐車場を管理する駐車場管理システムであって、
前記駐車場に設置される発券機と、
ユーザによる駐車開始に先立ち、ユーザが前記発券機を介して前払い駐車料金を支払うと、ユーザが前記駐車場に入庫するという行為またはその行為と実質的に同時に行われる別の行為が行われた時刻を表す第１実データと、前記前払い駐車料金の額またはその額に見合う有効駐車時間の長さを表す第２実データとを、予め設定された暗号化テーブルを参照することにより、前払い駐車料金用暗号データに暗号化する第１暗号化部と、
ユーザによる延長駐車の終了時、ユーザが前記発券機を介して追加駐車料金を支払うと、ユーザが前記追加駐車料金を支払うという行為またはその行為と実質的に同時に行われる別の行為が行われた時刻を表す第３実データと、前記追加駐車料金の額を表す第４実データとを、予め設定された暗号化テーブルを参照することにより、追加駐車料金用暗号データに暗号化する第２暗号化部と、
前記発券機による追加駐車料金用の領収書であって前記追加駐車料金用暗号データを有するものの発行後、ユーザから、駐車開始に先立って前記発券機によって発行された前払い駐車料金用の領収書上の前記前払い駐車料金用暗号データおよび前記追加駐車料金用の領収書上の前記追加駐車料金用暗号データを受け取り、それら受け取った前払い駐車料金用暗号データおよび追加駐車料金用暗号データを解読して前記第１および第２実データおよび前記第３および第４実データを復元する暗号解読器と
を含む駐車場管理システムが提供される。
【００３３】
また、本発明の第２アスペクトによれば、駐車場を管理する駐車場管理方法であって、
前記駐車場に発券機が設置され、
当該駐車場管理方法は、
ユーザによる駐車開始に先立ち、ユーザが前記発券機を介して前払い駐車料金を支払うと、ユーザが前記駐車場に入庫するという行為またはその行為と実質的に同時に行われる別の行為が行われた時刻を表す第１実データと、前記前払い駐車料金の額またはその額に見合う有効駐車時間の長さを表す第２実データとを、予め設定された暗号化テーブルを参照することにより、前払い駐車料金用暗号データに暗号化する第１暗号化工程と、
ユーザによる延長駐車の終了時、ユーザが前記発券機を介して追加駐車料金を支払うと、ユーザが前記追加駐車料金を支払うという行為またはその行為と実質的に同時に行われる別の行為が行われた時刻を表す第３実データと、前記追加駐車料金の額を表す第４実データとを、予め設定された暗号化テーブルを参照することにより、追加駐車料金用暗号データに暗号化する第２暗号化工程と、
前記発券機による追加駐車料金用の領収書であって前記追加駐車料金用暗号データを有するものの発行後、ユーザから、駐車開始に先立って前記発券機によって発行された前払い駐車料金用の領収書上の前記前払い駐車料金用暗号データおよび前記追加駐車料金用の領収書上の前記追加駐車料金用暗号データを受け取り、それら受け取った前払い駐車料金用暗号データおよび追加駐車料金用暗号データを暗号解読器を用いて解読して前記第１および第２実データおよび前記第３および第４実データを復元する暗号解読工程と
を含む駐車場管理方法が提供される。
【００３４】
また、本発明の第１側面によれば、駐車場を管理する駐車場管理システムであって、
前記駐車場に設置される発券機であって、ユーザによる駐車開始に先立ち、前払い駐車料金用の領収書を印刷して発行し、ユーザが、支払った前払い駐車料金の額に見合う有効駐車時間を超えて延長駐車をした後、追加駐車料金用の領収書を印刷して発行するプリンタを有するものと、
ユーザによる駐車開始に先立ち、ユーザが前記発券機を介して前払い駐車料金を支払うと、ユーザが前記駐車場に入庫するという行為またはその行為と実質的に同時に行われる別の行為が行われた時刻を表す第１実データと、前記前払い駐車料金の額またはその額に見合う有効駐車時間の長さを表す第２実データとを、予め設定された暗号化テーブルを参照することにより、前払い駐車料金用暗号データに暗号化する第１暗号化部と、
ユーザによる延長駐車の終了時、ユーザが前記発券機を介して追加駐車料金を支払うと、ユーザが前記追加駐車料金を支払うという行為またはその行為と実質的に同時に行われる別の行為が行われた時刻を表す第３実データと、前記追加駐車料金の額を表す第４実データとを、予め設定された暗号化テーブルを参照することにより、追加駐車料金用暗号データに暗号化する第２暗号化部と、
ユーザによる前記前払い駐車料金の支払い後、前記プリンタにより、前記前払い駐車料金用の領収書に、前記第１および第２実データと前記前払い駐車料金用暗号データとが一緒に印刷されるように、前記プリンタを制御する第１プリンタ制御部と、
ユーザによる前記追加駐車料金の支払い後、前記プリンタにより、前記追加駐車料金用の領収書に、前記第３および第４実データと前記追加駐車料金用暗号データとが一緒に印刷されるように、前記プリンタを制御する第２プリンタ制御部と、
前記プリンタによる前記追加駐車料金用の領収書の発行後、ユーザから、前記前払い駐車料金用の領収書上の前記前払い駐車料金用暗号データおよび前記追加駐車料金用の領収書上の前記追加駐車料金用暗号データを受け取り、それら受け取った前払い駐車料金用暗号データおよび追加駐車料金用暗号データを解読して前記前払い駐車料金用の領収書上の前記第１および第２実データおよび前記追加駐車料金用の領収書上の前記第３および第４実データを復元する暗号解読器と
を含み、
前記復元された第１実データにより特定される第１時刻と、前記復元された第３実データにより特定される第２時刻とは、両者の差として、ユーザによる実際駐車時間の長さを計算するために用いられ、
前記復元された第２実データにより特定される第１金額と、前記第４実データにより特定される第２金額とは、両者の和として、ユーザが支払った駐車料金の合計額を計算するために用いられ、
前記計算された駐車料金の合計額と、前記計算された実際駐車時間の長さとは、前記駐車料金の合計額が前記実際駐車時間の長さとの関係で不足していないか否かを判定するために用いられる駐車場管理システムが提供される。
【００３５】
また、本発明の第２側面によれば、駐車場を管理する駐車場管理方法であって、
前記駐車場に発券機が設置され、
その発券機は、ユーザによる駐車開始に先立ち、前払い駐車料金用の領収書を印刷して発行し、ユーザが、支払った前払い駐車料金の額に見合う有効駐車時間を超えて延長駐車をした後、追加駐車料金用の領収書を印刷して発行するプリンタを有し、
当該駐車場管理方法は、
ユーザによる駐車開始に先立ち、ユーザが前記発券機を介して前払い駐車料金を支払うと、ユーザが前記駐車場に入庫するという行為またはその行為と実質的に同時に行われる別の行為が行われた時刻を表す第１実データと、前記前払い駐車料金の額またはその額に見合う有効駐車時間の長さを表す第２実データとを、予め設定された暗号化テーブルを参照することにより、前払い駐車料金用暗号データに暗号化する第１暗号化工程と、
ユーザによる延長駐車の終了時、ユーザが前記発券機を介して追加駐車料金を支払うと、ユーザが前記追加駐車料金を支払うという行為またはその行為と実質的に同時に行われる別の行為が行われた時刻を表す第３実データと、前記追加駐車料金の額を表す第４実データとを、予め設定された暗号化テーブルを参照することにより、追加駐車料金用暗号データに暗号化する第２暗号化工程と、
ユーザによる前記前払い駐車料金の支払い後、前記プリンタにより、前記前払い駐車料金用の領収書に、前記第１および第２実データと前記前払い駐車料金用暗号データとが一緒に印刷されるように、前記プリンタを制御する第１プリンタ制御工程と、
ユーザによる前記追加駐車料金の支払い後、前記プリンタにより、前記追加駐車料金用の領収書に、前記第３および第４実データと前記追加駐車料金用暗号データとが一緒に印刷されるように、前記プリンタを制御する第２プリンタ制御工程と、
前記プリンタによる前記追加駐車料金用の領収書の発行後、ユーザから、前記前払い駐車料金用の領収書上の前記前払い駐車料金用暗号データおよび前記追加駐車料金用の領収書上の前記追加駐車料金用暗号データを受け取り、それら受け取った前払い駐車料金用暗号データを暗号解読器を用いて解読して前記前払い駐車料金用の領収書上の前記第１および第２実データおよび前記追加駐車料金用の領収書上の前記第３および第４実データを復元する暗号解読工程と、
前記復元された第１実データにより特定される第１時刻と、前記復元された第３実データにより特定される第２時刻との差として、ユーザによる実際駐車時間の長さを計算し、前記復元された第２実データにより特定される第１金額と、前記第４実データにより特定される第２金額との和として、ユーザが支払った駐車料金の合計額を計算し、前記計算された駐車料金の合計額が、前記計算された実際駐車時間の長さとの関係で不足していないか否かを判定する料金不足判定工程と
を含む駐車場管理方法が提供される。
【００３６】
また、本発明の一側面によれば、駐車場を管理する駐車場管理システムであって、
駐車料金の支払いまたは駐車時間に関する日時と金額と駐車時間の長さとのうちの少なくとも一つを表す実データであってユーザが解読可能であるものを、前記ユーザが解読することはできない暗号データに暗号化する暗号化部と、
ユーザから受信した前記暗号データを解読し、前記実データを復元する暗号解読部と
を含み、
前記実データは、複数種類の情報を含み、
前記暗号化部は、それぞれ対応する暗号化テーブルを参照することにより、前記複数種類の情報をそれぞれ個別に暗号化し、
前記暗号解読部は、前記それぞれ対応する暗号化テーブルを参照することにより、前記暗号データを前記情報の種類ごとに個別に解読し、それにより、前記複数種類の情報をそれぞれ個別に復元する駐車場管理システムが提供される。
【００３７】
本発明の別の側面によれば、駐車場を管理する駐車場管理方法であって、
プロセッサにより、駐車料金の支払いまたは駐車時間に関する日時と金額と駐車時間の長さとのうちの少なくとも一つを表す実データであってユーザが解読可能であるものを、前記ユーザが解読することはできない暗号データに暗号化する暗号化工程と、
プロセッサにより、ユーザから受信した前記暗号データを解読し、前記実データを復元する暗号解読工程と
を含み、
前記実データは、複数種類の情報を含み、
前記暗号化工程は、それぞれ対応する暗号化テーブルを参照することにより、前記複数種類の情報をそれぞれ個別に暗号化し、
前記暗号解読工程は、前記それぞれ対応する暗号化テーブルを参照することにより、前記暗号データを前記情報の種類ごとに個別に解読し、それにより、前記複数種類の情報をそれぞれ個別に復元する駐車場管理方法が提供される。
【００３８】
本発明の別の側面によれば、駐車場を遠隔地にある管理センタによって管理する駐車場管理システムであって、
前記駐車場に設置される発券機であって、駐車料金の支払いまたは駐車時間に関する日時と金額と駐車時間の長さとのうちの少なくとも一つを表す実データであってユーザが解読可能であるものを、前記ユーザが解読することはできない暗号データに暗号化する暗号化部と、前記実データと前記暗号データとを駐車票上に印刷し、その印刷された駐車票を前記ユーザに対して発行するプリンタとを有するものと、
前記管理センタに設置される暗号解読器であって、前記ユーザから通信機器を介して送信され、かつ、前記管理センタにおいて受信された前記暗号データを解読し、前記実データを復元するものと
を含む駐車場管理システムが提供される。
【００３９】
さらに、本発明の別の側面によれば、駐車場を遠隔地にある管理センタによって管理する駐車場管理方法であって、
前記駐車場に設置される発券機により、駐車料金の支払いまたは駐車時間に関する日時と金額と駐車時間の長さとのうちの少なくとも一つを表す実データであってユーザが解読可能であるものを、前記ユーザが解読することはできない暗号データに暗号化し、前記実データと前記暗号データとを駐車票上に印刷し、その印刷された駐車票を前記ユーザに対して発行する工程と、
前記管理センタに設置される暗号解読器により、前記ユーザから通信機器を介して送信され、かつ、前記管理センタにおいて受信された前記暗号データを解読し、前記実データを復元する工程と
を含む駐車場管理方法が提供される。
【００４０】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００４１】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００４２】
（１）  車両のための複数の駐車位置を有する前払い式の無人駐車場に、前記複数の駐車位置について共通に使用されるように設置される発券機であって、
ユーザが駐車料金を当該発券機に対して支払うと、駐車票を印刷して発行するプリンタと、
ユーザが当該発券機に対して前記駐車料金を支払うと、駐車料金の支払いまたは駐車時間に関する日時と金額と駐車時間の長さとのうちの少なくとも一つを表す実データであってユーザが直接的に解読可能であるものを、予め設定された暗号化テーブルを参照することにより、ユーザが解読することはできないが一義的に発音することはできる暗号データに変換する暗号化部と、
ユーザが前記駐車料金を当該発券機に対して支払うと、前記プリンタがこれから発行しようとする前記駐車票に前記実データおよび前記暗号データが印刷されるように、前記プリンタを制御するプリンタ制御部と
を含み、
ユーザが前記駐車票上の前記暗号データを読み上げて発した音声が、通信機器を介して、遠隔地にいる駐車場管理者に対して送信されれば、その駐車場管理者は、受信したユーザの音声から前記暗号データを解読して前記実データを復元することが可能である駐車場用発券機。
【００４３】
この発券機によれば、ユーザが駐車料金を当該発券機に対して支払った後に、当該発券機から発行される駐車票に、駐車料金の支払いまたは駐車時間に関する日時と金額と駐車時間の長さとのうちの少なくとも一つに関し、実データと共に、暗号データが印刷される。すなわち、駐車料金の支払いまたは駐車時間に関する日時と金額と駐車時間の長さとのうちの少なくとも一つに関する同じ情報が、ユーザが解読できる実データと、ユーザが解読できない暗号データとの双方として、同じ駐車票に印刷されるのである。ユーザが暗号データを解読できないということは、ユーザが暗号データを偽造できないことにつながる。
【００４４】
その暗号データは、その駐車票を所有するユーザを特定するためでも、その駐車票を特定するためでもなく、駐車料金の支払いまたは駐車時間に関する日時と金額と駐車時間の長さとのうちの少なくとも一つ、例えば、「ユーザは、ある長さを有する駐車時間に見合った額の駐車料金をある日時に当該発券機に対して支払った」というユーザの行為に関する情報についてのユーザの発言の真正性を立証するために、前記駐車票に印刷される。
【００４５】
その暗号データは、ユーザが解読することはできないが一義的に発音することはできるデータであり、例えば、数字、アルファベット、仮名文字などである。暗号データが同一である限り、その暗号データを発音する人間が異なっても、通常の識字力を有する限り、同一の音声が生成される。
【００４６】
よって、この発券機によれば、ユーザが、前記駐車票上の前記暗号データを読み上げて発した音声を、通信機器（例えば、ユーザが利用可能な携帯電話機、固定電話機、公衆電話機など、当該発券機に設置されていない通信機器）を介して、遠隔地にいる駐車場管理者に対して送信することが可能となる。その駐車場管理者は、受信したユーザの音声から前記暗号データを解読して前記実データを復元することが可能である。なぜなら、その暗号データと前記実データとの間に１対１の関係があり、暗号データから実データを復元可能であるからである。
【００４７】
したがって、この発券機によれば、当該発券機が、他の装置（例えば、駐車場管理者の通信機器）との間で通信を行う機能も、前記駐車票に印刷された前記暗号データを機械的に読み取る機能も有することなく、また、ユーザが、前記駐車票を駐車場管理者に持参したり送付したりすることも、ファクシミリを用いて送信することもなく、駐車料金の支払いまたは駐車時間に関する日時と金額と駐車時間の長さとのうちの少なくとも一つを、遠隔地にいる駐車場管理者が確認することが可能となる。その結果、ユーザの負担を軽減しつつ、ユーザは、自己の行為が不正ではないことを駐車場管理者に対して証明することができる。
【００４８】
よって、この発券機によれば、前払い式の無人駐車場に前述の出庫阻止装置を設置しなくても、ユーザが、追加駐車料金を支払うべき場合に、実際には、追加駐車料金を全く支払っていないか、または要求金額に対して不足した金額しか支払っていないにもかかわらず、要求金額を支払ったと、通信機器を介して、遠隔地にいる管理者に対して主張しても、その主張が虚偽であることが管理者によって判明する。したがって、前払い式の無人駐車場でありながら、ユーザが、追加駐車料金を全く支払っていないか、または要求金額に対して不足した金額しか支払っていないにもかかわらず、出庫する不正行為を防止することが容易となる。
【００４９】
本項において、実データが直接的に表す「駐車料金の支払いまたは駐車時間に関する日時と金額と駐車時間の長さとのうちの少なくとも一つ」という用語につき、「日時」は、例えば、ユーザが駐車料金を支払った日時、駐車時間の開始時刻または終了時刻、駐車場に入庫した時刻などを意味し、また、「金額」は、例えば、ユーザが支払った駐車料金の額などを意味し、また、「駐車時間の長さ」は、後述の前払い駐車料金の額に見合った有効駐車時間（最大駐車時間）、後述の追加駐車料金の額に見合った延長駐車時間などを意味する。
【００５０】
本明細書の全体を通じて、「駐車票」なる用語は、駐車場に設置された発券機によって発行される小片（スリップ）をすべて含み、例えば、駐車券、領収書を含むが、それらに限定されない。
【００５１】
（２）  車両のための複数の駐車位置を有する前払い式の無人駐車場に、前記複数の駐車位置について共通に使用されるように設置される発券機であって、
発券ボタンと、
料金精算ボタンと、
ユーザが、駐車開始に先立ち、前払い駐車料金を当該発券機に対して支払った後に前記発券ボタンを操作すると、駐車が許可されたことを示す駐車券、および駐車料金の精算が済んだことを示す領収書を印刷して発行する一方、ユーザが、駐車終了後、追加駐車料金を当該発券機に対して支払った後に前記料金精算ボタンを操作すると、前記領収書を印刷して発行するプリンタと、
ユーザが当該発券機に対して前記前払い駐車料金または追加駐車料金を支払うと、駐車料金の支払いまたは駐車時間に関する日時と金額と駐車時間の長さとのうちの少なくとも一つを表す実データであってユーザが直接的に解読可能であるものを、予め設定された暗号化テーブルを参照することにより、ユーザが解読することはできないが一義的に発音することはできる暗号データに変換する暗号化部と、
ユーザによる駐車開始に先立ち、ユーザが前記無人駐車場に連続して駐車することを希望する有効駐車時間の長さに見合った額の駐車料金をユーザが前記前払い駐車料金として当該発券機に対して支払った後、ユーザが前記発券ボタンを操作すると、前記プリンタがこれから発行しようとする前記領収書に、前記前払い駐車料金に対応する前記実データおよび前記暗号データが印刷されるように、前記プリンタを制御する第１プリンタ制御部と、
ユーザによる駐車終了時、ユーザが実際に駐車した実際駐車時間の長さが前記有効駐車時間を超過した場合に、その超過分の長さに見合った額の駐車料金をユーザが前記追加駐車料金として当該発券機に対して支払った後、ユーザが前記料金精算ボタンを操作すると、前記プリンタがこれから発行しようとする前記領収書に、前記追加駐車料金に対応する前記実データおよび前記暗号データが印刷されるように、前記プリンタを制御する第２プリンタ制御部と
を含み、
ユーザが前記領収書上の前記暗号データを読み上げて発した音声が、通信機器を介して、遠隔地にいる駐車場管理者に対して送信されれば、その駐車場管理者は、受信したユーザの音声から前記暗号データを解読して前記実データを復元することが可能である駐車場用発券機。
【００５２】
この発券機によれば、ユーザの特定の行為により、ユーザがこれから支払おうとする駐車料金が前払い駐車料金であるか追加駐車料金であるかを区別することが可能となる。さらに、この発券機によれば、前記（１）項に係る発券機と共通の作用効果が得られる。
【００５３】
（３）  当該発券機は、前記駐車票に記録された情報を機械的に読み取る機能も、他の装置との間で通信を行う機能も有しておらず、
前記駐車場には、ユーザが当該発券機に対して支払った前記駐車料金が不足しているにもかかわらずその不足分を当該発券機に対して支払うことなくユーザが自分の車両を前記駐車場から出庫させる行為を機械的に阻止するための装置が設置されていない（１）項に記載の駐車場用発券機。
【００５４】
（４）  さらに、
硬貨が投入される硬貨投入口と、
情報を画面上に表示する表示器と、
ユーザが硬貨を前記硬貨投入口に投入するごとに、それまでにユーザが投入した硬貨の合計金額を投入金額として計算する投入金額計算部と、
ユーザが硬貨を前記硬貨投入口に投入するごとに、前記計算された投入金額から、その投入金額に見合った駐車時間を計算する駐車時間計算部と、
ユーザが硬貨を前記硬貨投入口に投入するごとに、前記計算された投入金額と、前記計算された駐車時間とが前記画面上に表示されるように、前記表示器を制御する表示器制御部と
を含む（１）ないし（３）項のいずれかに記載の駐車場用発券機。
【００５５】
（５）  車両のための複数の駐車位置を有する前払い式の無人駐車場に、前記複数の駐車位置について共通に使用されるように設置される発券機であって、
ユーザが駐車料金を、駐車に先立って前払い駐車料金として当該発券機に対して支払うか、または予定の駐車時間を超過して駐車した後に追加駐車料金として当該発券機に対して支払うと、駐車票を、前払い用駐車票および追加駐車料金用駐車票のうち対応するものとして印刷して発行するプリンタと、
ユーザが当該発券機に対して前記駐車料金を支払うと、駐車料金の支払いまたは駐車時間に関する日時と金額と駐車時間の長さとのうちの少なくとも一つを表すとともに、前記駐車票が前記前払い用駐車票であるか前記追加駐車料金用駐車票であるかを識別する実データであってユーザが直接的に解読可能であるものを、予め設定された暗号化テーブルを参照することにより、ユーザが解読することはできないが一義的に発音することはできる暗号データに変換する暗号化部と、
ユーザが前記駐車料金を当該発券機に対して支払うと、前記プリンタがこれから発行しようとする前記駐車票に前記実データおよび前記暗号データが印刷されるように、前記プリンタを制御するプリンタ制御部と
を含み、
ユーザが前記駐車票上の前記暗号データを読み上げて発した音声が、通信機器を介して、遠隔地にいる駐車場管理者に対して送信されれば、その駐車場管理者は、暗号解読器を用いることにより、受信したユーザの音声から前記暗号データを解読して前記実データを復元することが可能である駐車場用発券機。
【００５６】
この発券機によれば、駐車場管理者が、駐車票の実物または複製を目視することなく、その駐車票に関するユーザからの発言のみから、その駐車票が前払い用駐車票であるか追加駐車料金用駐車票であるかを正しく識別することが可能となる。
【００５７】
（６）  車両のための複数の駐車位置を有する前払い式の無人駐車場に、前記複数の駐車位置について共通に使用されるように設置される発券機であって、
発券ボタンと、
料金精算ボタンと、
ユーザが、駐車開始に先立ち、前払い駐車料金を当該発券機に対して支払った後に前記発券ボタンを操作すると、駐車が許可されたことを示す駐車券と、前記前払い駐車料金の支払いが済んだことを示す前払い用領収書とを印刷して発行する一方、ユーザが、駐車終了後、追加駐車料金を当該発券機に対して支払った後に前記料金精算ボタンを操作すると、追加駐車料金用領収書を印刷して発行するプリンタと、
ユーザが当該発券機に対して前記前払い駐車料金または前記追加駐車料金を支払うと、駐車料金の支払いまたは駐車時間に関する日時と金額と駐車時間の長さとのうちの少なくとも一つを表すとともに、当該発券機によって発行された領収書が、前記前払い用領収書であるか前記追加駐車料金用領収書であるかを表す実データであってユーザが目視によって解読可能であるものを、予め設定された暗号化テーブルを参照することにより、ユーザが解読することはできないが一義的に発音することはできる暗号データに暗号化する暗号化部と、
ユーザによる駐車開始に先立ち、ユーザが前記無人駐車場に連続して駐車することを希望する有効駐車時間の長さに見合った額の駐車料金をユーザが前記前払い駐車料金として当該発券機に対して支払った後、ユーザが前記発券ボタンを操作すると、前記プリンタがこれから発行しようとする前記前払い用領収書に、前記前払い駐車料金に対応する前記実データおよび前記暗号データが印刷されるように、前記プリンタを制御する第１プリンタ制御部と、
ユーザによる駐車終了時、ユーザが実際に駐車した実際駐車時間の長さが前記有効駐車時間を超過した場合に、その超過分の長さに見合った額の駐車料金をユーザが前記追加駐車料金として当該発券機に対して支払った後、ユーザが前記料金精算ボタンを操作すると、前記プリンタがこれから発行しようとする前記追加駐車料金用領収書に、前記追加駐車料金に対応する前記実データおよび前記暗号データが印刷されるように、前記プリンタを制御する第２プリンタ制御部と
を含み、
前記追加駐車料金用領収書の発行後、ユーザが前記前払い用領収書および前記追加駐車料金用領収書上の前記暗号データを読み上げて発した音声が、通信機器を介して、遠隔地にいる駐車場管理者に対して送信されれば、その駐車場管理者は、暗号解読器を用いることにより、音声として受信した前記暗号データを解読して前記前払い用領収書および前記追加駐車料金用領収書上の前記実データを復元し、その復元された実データに基づき、前記ユーザによって前記追加駐車料金として既に支払われている金額が不足しているか否かを判断することが可能である駐車場用発券機。
【００５８】
（７）  車両のための複数の駐車位置を有する前払い式の無人駐車場に、前記複数の駐車位置について共通に使用されるように設置される発券機であって、
ユーザが前記駐車場を利用したい時間帯として、夜間のみをカバーする駐車時間帯と、少なくとも昼間の一部をカバーする駐車時間帯とを含む複数の駐車時間帯のうちのいずれかを選択するためにユーザによって操作される操作部と、
ユーザによって選択された駐車時間帯の種類に応じた額の駐車料金をユーザが当該発券機に支払うと、ユーザが自身の車両を前記駐車場に入庫した入庫日時と、ユーザによって選択された駐車時間帯の種類と、ユーザによって当該発券機に支払われた駐車料金の額とを駐車票に印刷し、その印刷された駐車票をユーザに対して発行するプリンタと
を含む駐車場用発券機。
【００５９】
（８）  前記駐車票は、当該発券機による発行後、ユーザにより、駐車車両の室内に、前記駐車票の印刷内容を車外から前記駐車車両の窓ガラスを通して視認することが可能であるように配置される（１）ないし（７）項のいずれかに記載の駐車場用発券機。
【００６０】
この発券機によって駐車に先立って発行された駐車票は、ユーザにより、前払い式の無人駐車場に駐車しようとする自己の車両の室内に、車外から目視できるように配置される。したがって、駐車場管理者は、駐車車両内の駐車票を車外から目視するという単純な作業だけで、その車両が、不正駐車車両に該当するか否かを簡単に判断することができる。駐車場管理者は、不正駐車車両を発見した場合、例えば、警告票をその車両に貼付することにより、その車両を駐車したユーザに対して警告することができる。
【００６１】
その結果、この発券機によれば、前払い式の無人駐車場に前述の出庫ゲート、フラップ式、出没式輪止め等、出庫阻止装置を設置しなくても、不正駐車を防止することが可能となる。よって、この発券機によれば、前払い式の無人駐車場でありながら、駐車場の設備コストおよび管理コストを低減しつつ、不正駐車を防止することが容易となる。
【００６２】
さらに、この発券機によれば、当該発券機が、不正駐車を発見するためのデータ処理を行わずに済むため、当該発券機の機能の単純化が容易となり、その結果、当該発券機の設備コストを低減させることが容易となる。
【００６３】
さらに、この発券機によれば、駐車場を利用しようとするユーザは、駐車に先立って駐車票を発行するために、ユーザ識別番号の入力も、ユーザの車両についての車両識別情報の入力も行わずに済むから、ユーザの負担が増加せずに済む。
【００６４】
さらに、この発券機によれば、駐車票が、駐車車両の室内に置かれるため、天候によって損傷することも、紛失することもない。
【００６５】
（９）  車両のための複数の駐車位置を有する前払い式または後払い式の無人または有人の駐車場に、前記複数の駐車位置について共通に使用されるように設置される発券機に対してユーザが駐車料金を支払うと、前記発券機によって印刷されて発行される駐車票であって、
当該駐車票上に、駐車料金の支払いまたは駐車時間に関する日時と金額と駐車時間の長さとのうちの少なくとも一つを表す実データであってユーザが直接的に解読可能であるものと、その実データが暗号化された暗号データであって、ユーザが解読することはできないが一義的に発音することはできるものとが印刷されている駐車票。
【００６６】
この駐車票を用いれば、駐車場管理者が、駐車票の実物または複製を目視することなく、その駐車票の記載事項に関するユーザからの発言のみから、その記載事項に関するユーザの発言の真正性を客観的に判断することが可能となる。
【図面の簡単な説明】
【００６７】
【図１】図１は、本発明の第１実施形態に従う発券機が設置された無人駐車場の一例を示す平面図である。
【図２】図２は、図１に示す発券機を示す正面図である。
【図３】図３は、図２に示す発券機を、扉が開いている状態で示す斜視図である。
【図４】図４は、図２に示す発券機の部品構成を示すブロック図である。
【図５】図５は、図４に示すコンピュータによって実行される発券・精算プログラムを概念的に表すフローチャートである。
【図６】図６（ａ）−（ｄ）は、図２に示す表示器の画面上に表示される複数の画像を示す正面図である。
【図７】図７（ａ）は、図２に示す発券機により、前払い駐車料金の支払い後に発行される駐車券および領収書の一例を示す正面図であり、図７（ｂ）は、図２に示す発券機により、追加駐車料金の支払い後に発行される領収書の一例を示す正面図である。
【図８】図８（ａ）は、図７（ａ）に示す駐車券を、発行直後の状態で示す縦断面図であり、図８（ｂ）は、その駐車券を、一部が剥がされて折り曲げられた状態で示す縦断面図である。
【図９】図９（ａ）は、図７（ａ）に示す駐車券を、駐車車両のフロントガラスの裏面に貼り付けられた状態で示す側面断面図であり、図９（ｂ）は、その駐車券を、それの表示シートの一部がセパレータから剥がされて折り曲げられた状態で示す斜視図である。
【図１０】図１０は、図７（ａ）に示す駐車券が駐車車両のフロントガラスの裏面に貼り付けられている様子を示す斜視図である。
【図１１】図１１（ａ）−（ｃ）は、図７（ａ）および（ｂ）にそれぞれ示す領収書に印刷される暗号データの一例の構成、それに対応する実データ、および実データから暗号データへの変換工程を説明するための図である。
【図１２】図１２は、図７（ａ）および（ｂ）にそれぞれ示す領収書に印刷される暗号データをユーザが、自分の携帯電話機を用いて、遠隔地にいる駐車場管理者に通信する様子と、その駐車場管理者が、受信した暗号データを実データに変換する様子とを説明するための斜視図である。
【図１３】図１３は、本発明の第２実施形態に従う発券機を示す正面図である。
【図１４】図１４は、図１３に示す発券機の部品構成を示すブロック図である。
【図１５】図１５は、図１４に示すコンピュータによって実行される発券・精算プログラムを概念的に表すフローチャートである。
【図１６】図１６（ａ）は、図１３に示す発券機により、前払い駐車料金の支払い後に発行される駐車券および領収書の一例を示す正面図であり、図１６（ｂ）は、図１３に示す発券機により、追加駐車料金の支払い後に発行される領収書の一例を示す正面図である。
【図１７】図１７（ａ）−（ｃ）は、図１６（ａ）および（ｂ）にそれぞれ示す領収書に印刷される暗号データの一例の構成、それに対応する実データ、および実データから暗号データへの変換工程を説明するための図である。
【図１８】図１８は、図１３に示す発券機によって発行される夜間駐車用の駐車券の一例を示す正面図である。
【発明を実施するための形態】
【００６８】
以下、本発明の第１実施形態に従う駐車場用発券機２０を例示的に図面に基づいて詳細に説明する。
【００６９】
図１には、その発券機２０が設置されて使用される駐車場１０が平面図で示されている。その駐車場１０は、複数台の自動車の同時駐車を可能にする複数の駐車位置（駐車スペース）を有する。この駐車場１０の唯一の入出庫口１２（入庫口でもあるし出庫口でもある）の近傍位置に、１台の発券機（一般には、「精算機」ともいう。）２０が、複数の駐車位置に共通に、集中発券機として設置されている。この駐車場１０は、専従者がおらず、運転者であるユーザが駐車料金の支払いを発券機２０に対して行う無人式である。この発券機２０は、本発明の一実施形態に従って構成されている。
【００７０】
なお、「車両」なる用語の定義について付言するに、この「発明を実施するための形態」の欄においては、「車両」なる用語は、自動車のみを意味するが、本明細書の他の箇所においては、「車両」なる用語は、自動車のみならず、自転車、自動二輪車等、あらゆる種類の移動体を包含する用語として解釈すべきである。
【００７１】
駐車場１０の敷地には、２種類の駐車区画が存在する。それは、各車両のユーザに対し、１日単位で駐車スペースを貸し出すための区画（一時預り区画または日貸し用区画）と、各車両のユーザに対し、事前の契約を前提に、１月単位で駐車スペースを貸し出すための区画（月極用区画）とである。発券機２０は、一時預り区画について使用される。以下、単に「駐車場１０」というときには、この駐車場１０のうち、一時預り区画、すなわち、発券機２０が使用されるエリアのみを意味する。
【００７２】
駐車場１０を利用するために、ユーザである運転者は、自己の車両を運転して、隣接道路から入出庫口１２に進入し、引き続いて運転して発券機２０を素通りし、さらに、自己の車両を、自身で選択したいずれかの駐車スペース（駐車位置）まで運転してそこに駐車する。その後、ユーザは、自己の車両から降りて、入出庫口１２にある発券機２０まで歩いていき、そこで駐車料金を発券機２０に対して支払う。
【００７３】
図２には、発券機２０が正面図で示されており、図３には、発券機２０を、扉２４が開いている状態で斜視図で示されており、図４には、発券機２０の部品構成がブロック図で示されている。図５は、図４に示す制御基板３４内のコンピュータ１００によって実行される発券・精算プログラムが概念的にフローチャートで表されている。図６（ａ）−（ｄ）には、図２に示す表示器３６の画面上に表示される複数の画像が正面図で示されている。
【００７４】
ユーザは、駐車料金の支払いと引き換えに、図７（ａ）および図８に示す駐車券８０を発券機２０から受け取る。その後、ユーザは、その駐車券８０を、図９および図１０に示すように、自己の車両のフロントガラス１１０（前記（１）項における「窓ガラス」の一例であるが、その「窓ガラス」は、フロントガラス１１０に限定されない）の裏面に貼り付ける。その駐車券８０は、駐車車両の室内に置かれるため、雨風に曝されることはないし、紛失することもない。
【００７５】
駐車場１０は、複数の駐車位置を有する前払い式の無人駐車場であって、車両の出庫を阻止する（駐車場１０からの退出を阻止する）ための装置（例えば、出庫ゲート装置や、輪止め装置（例えば、フラップ式や、出没式））を有せず、かつ、ユーザが前記複数の駐車位置のうちのいずれかを自由に選んで自己の車両を駐車することが可能である（選択された駐車位置は、発券機２０によって監視されない）。このように構成された駐車場１０について発券機２０が使用される。
【００７６】
ここで、発券機２０をさらに具体的に説明する。この発券機２０は、料金精算機能は有するが釣銭機能も通信機能も有しない。この発券機２０は、ユーザが駐車料金を、紙幣ではなく硬貨のみで支払うことを要求する。また、この発券機２０は、ユーザに対し、ユーザ識別番号の入力も、ユーザの車両についての車両識別情報（例えば、車両番号）の入力も、複数の駐車位置のうちユーザが選択するものの特定も、要求しない。
【００７７】
発券機２０は、図２に示すように、発券ボタン７０と、料金精算ボタン７４とを有する。発券機２０は、ユーザが、駐車開始に先立ち、前払い駐車料金を支払った後に発券ボタン７０を押すと、駐車が許可されたことを示す駐車券８０（図７（ａ）参照）と、前払い駐車料金の精算が済んだことを示す領収書８１ａ（図７（ａ）参照）とを、２枚綴りで発行する発券機能を有する。発券機２０は、さらに、ユーザが、駐車終了後、追加駐車料金を支払った後に料金精算ボタン７４を押すと、追加駐車料金の精算が済んだことを示す領収書８１ｂ（図７（ｂ）参照）を発行する料金精算機能を有する。
【００７８】
本実施形態においては、領収書８１ａが、前記（７）項における「前払い用領収書」の一例を構成し、また、領収書（以下、「精算領収書」ともいう。）８１ｂが、同項における「追加駐車料金用領収書」の一例を構成している。すなわち、本実施形態においては、領収書８１ａ，８１ｂのカテゴリとして、前払い用領収書および追加駐車料金用領収書が存在し、領収書８１ａは、前払い用領収書というカテゴリに分類されるのに対し、領収書８１ｂは、追加駐車料金用領収書というカテゴリに分類されるのである。
【００７９】
本実施形態においては、前払い駐車料金の支払い後に発行される２枚綴りの駐車票は、駐車券８０と領収書８１ａの２枚綴りであるが、ユーザは、それら駐車券８０と領収書８１ａを互いに分離し、駐車券８０のみ、駐車車両内に置いておき、領収書８１ａは、携帯することが可能である。領収書８１ａには、後述のように、有効駐車時間（ユーザによる駐車が許可された時間帯）の終了時刻が印刷されており、ユーザが、駐車車両から離れた場所においていつでも有効駐車時間の終了時刻を参照できるようにするために、この領収書８１ａをユーザが携帯することが便利である。
【００８０】
図３に示すように、この発券機２０は、縦長で箱状を成すケーシング２２に扉２４がそれの一側辺において開閉可能に取り付けられて構成されている。図３には、この発券機２０の内部構成が、扉２４が開いている状態で、斜視図で示されている。図４には、この発券機２０の部品構成がブロック図で示されている。
【００８１】
図３に示すように、この発券機２０は、硬貨処理ユニット３０と、金庫３２と、制御基板３４と、表示器３６と、駐車券８０および領収書８１ａ，８１ｂを印刷して発行するプリンタ４０とを有するように構成されている。それら部品のうち、硬貨処理ユニット３０のみが、扉２４の背面に取り付けられ、残りの部品は、ケーシング２２の内部に取り付けられている。
【００８２】
図３に示すように、プリンタ４０には、印刷前の連続シートが巻き付けられて収容されるローラ４２が装着されている。プリンタ４０は、そのローラ４２から１枚分の長さずつ送り込まれる連続シートに対して印刷を行う。プリンタ４０は、その印刷終了後、連続シートを随時、カッタ（図示しない）によってカットしてその連続シートから、前払い駐車料金の支払い後には駐車券８０と領収書８１ａとの２枚綴り、追加駐車料金の支払い後には１枚分の領収書８１ｂを切り離す。ただし、２枚綴りである駐車券８０と領収書８１ａとの間に、図７（ａ）に示すように、切取り線８９が形成されており、ユーザは、その切取り線８９に沿って、それら駐車券８０と領収書８１ａを簡単に互いに切り離すことが可能である。
【００８３】
前記カッタは、切刃（図示しない）を有し、その切刃を連続シートの幅方向に移動させて連続シートを幅方向に切断する。また、前記カッタは、連続シートを幅方向に完全に切断する方式を採用したり、幅方向における一部のみ残して連続シートを幅方向に切断する方式を採用することが可能である。
【００８４】
図２および図４に示すように、硬貨処理ユニット３０は、硬貨投入口５０と、返却レバー５２と、硬貨セレクタ（投入された硬貨の種類の判別と、投入された硬貨が偽造硬貨でないか否かの判別とを行う）５４と、硬貨返却口５６とを有する。投入された硬貨のうち、硬貨返却口５６からユーザに返却されなかったものは、金庫３２に収容される。図４に示すように、硬貨セレクタ５４に制御基板３４がデータ通信可能に接続されており、その制御基板３４は、硬貨セレクタ５４から、投入された硬貨の種類（硬貨の単位と、偽造硬貨であるか否かの情報とを含む）と枚数を表す信号を受信する。
【００８５】
図２に示すように、扉２４の前面には、表示器３６（例えば、液晶ディスプレイ）の画面からの表示光が透過する透過窓６０と、硬貨投入口５０、返却レバー５２および硬貨返却口５６と、プリンタ４０によって印刷されて排出される駐車券８０および領収書８１ａ，８１ｂを排出するための排出口６４とが配置されている。透過窓６０は、外部から表示器３６への直接アクセスを阻止することによって表示器３６を機械的に保護する機能も有する。
【００８６】
発券機２０は、さらに、ユーザが前払い駐車料金を支払った後に押される前述の発券ボタン７０と、ユーザが追加駐車料金を支払った後に押される前述の料金精算ボタン７４とを有するように構成されている。それら発券ボタン７０および料金精算ボタン７４は、図２に示すように、発券機２０の扉２４の前面に装着されている。それら発券ボタン７０および料金精算ボタン７４は、図４に示すように、制御基板３４に電気的に接続されている。
【００８７】
それら発券ボタン７０および料金精算ボタン７４は、いずれも、実在する物理的なスイッチとして構成されているが、これに限定されず、例えば、表示器３６の画面上に表示される仮想的なスイッチ（例えば、ボタン、キー、アイコン）として構成してもよい。
【００８８】
制御基板３４は、コンピュータ１００を主体として構成されている。この制御基板３４は、時計１０２を内蔵しており、常に現在日時（例えば、発券ボタン７０が押された日時、料金精算ボタン７４が押された日時）を取得可能となっている。この制御基板３４は、さらに、メモリ１０４を内蔵している。そのメモリ１０４には、後述の暗号化テーブルが、権限を有する者のみが書き換え可能である状態で保存されている。
【００８９】
なお付言するに、制御基板３４は、コンピュータ１００と同じ機能をシーケンサ（シーケンス制御）によって実現する形式とすることが可能である。
【００９０】
図５に示す発券・精算プログラムがコンピュータ１００によって実行されると、まず、ステップＳ１において、図６（ａ）に示す初期画面が表示器３６の画面上に表示される。次に、ステップＳ２において、硬貨セレクタ５４からの信号に基づき、ユーザによる硬貨の投入があったか否かが判定される。硬貨が未投入であると、ステップＳ２に戻るが、硬貨の投入があると、ステップＳ３において、それまでにユーザが投入した硬貨の合計金額が投入金額として計算される。
【００９１】
続いて、ステップＳ４において、その計算された投入金額から、その投入金額に見合った駐車時間が駐車時間（今回支払われた駐車料金が前払い駐車料金である場合には、有効駐車時間を意味する一方、今回支払われた駐車料金が追加駐車料金である場合には、延長駐車時間を意味する）として計算される。投入金額と駐車時間の長さとの関係、すなわち、時間単位の料金設定は、コンピュータ１００にとって既知であるから、コンピュータ１００は、その料金設定に従い、投入金額から駐車時間を計算することができる。料金設定については、例えば、駐車場管理者が、表示器３６のタッチパネルを操作することにより、各時間単位で個別に入力することが可能である。
【００９２】
上記料金設定の一例によれば、連続駐車時間が２時間までは３００円、４時間までは４００円であり、６時間までは５００円、１２時間までは１０００円、２４時間までは１５００円である。この例の料金設定のもとでは、例えば、図７に示す例のように、ユーザが４００円を前払い駐車料金として支払うと、コンピュータ１００は、４時間を有効駐車時間として計算することになる。また、ユーザが３００円を追加駐車料金として支払うと、２時間を延長駐車時間として計算することになる。
【００９３】
その後、ステップＳ５において、図６（ｂ）に示す硬貨投入中画面が表示器３６の画面上に表示される。このとき、前記計算された投入金額および駐車時間（有効駐車時間または延長駐車時間）の長さが表示される。
【００９４】
続いて、ステップＳ６において、発券ボタン７０が押されたか否かが判定される。発券ボタン７０が未だ押されていない場合には、ステップＳ７において、料金精算ボタン７４が押されたか否かが判定される。料金精算ボタン７４も未だ押されていない場合には、ステップＳ２に戻る。
【００９５】
硬貨投入開始後、発券ボタン７０と料金精算ボタン７４とのいずれかが押されるまで、ステップＳ２−Ｓ７の実行が反復される。その結果、ユーザが硬貨を硬貨投入口５０に投入するごとに、投入開始時から現時点までにユーザが投入した硬貨の合計金額を投入金額として計算することと、その計算された投入金額から、その投入金額に見合った駐車時間を計算することと、前記計算された投入金額および駐車時間（有効駐車時間または延長駐車時間）を表示器３６の画面上に表示することとが行われる。
【００９６】
発券ボタン７０が押されると、ステップＳ８において、図６（ｃ）に示す駐車券／領収書発行画面が表示器３６の画面上に表示される。このとき、ユーザによる発券ボタン７０の操作によって確定された駐車料金の額が、前払い駐車料金の額として表示される。この場合には、先行するステップＳ４において計算された駐車時間は、有効駐車時間を意味することになる。
【００９７】
続いて、ステップＳ９において、ユーザが駐車場１０に入庫した入庫時刻（またはユーザが前払い駐車料金を支払った日時、駐車券８０を発券した時刻、駐車時間の開始時刻など）および前記有効駐車時間の長さ（またはユーザが支払った前払い駐車料金の額など）を表す実データであってユーザが直接的に解読可能であるものが、前記暗号化テーブルを参照することにより、ユーザが解読することはできないが一義的に発音することはできる暗号データ１３０に変換される。暗号化が行われるのであり、これにより、暗号データ１３０が作成される。
【００９８】
本実施形態においては、暗号データ１３０が、図１１（ａ）に示すように、一列に並んだ９桁（それより多い桁数としても、それより少ない桁数としてもよい。）の記号で定義されている。各桁の記号は、例えば、０から９までの１０個の数字と複数のアルファベットとのうちのいずれかとして選択される。その複数桁の記号は、複数のグループに分割されて領収書８１ａ上に印刷され、隣接するグループ同士がハイフンでつながれており、これにより、ユーザは、複数桁の記号を、一息で一気に発音するのではなく、いくつかの区切りを入れて、より楽にかつ正確に発音できるようになっている。
【００９９】
実データの一般的な構成の一例（実データの桁数削減のため、西暦の表記を省略した）は、図１１（ｂ）に示すように、「ＭＭ月ＤＤ日のｈｈ時ｍｍ分に入庫し、有効駐車時間の長さは、ＴＴ時間である。」というデータである。この実データは、図１１（ｃ）に示すように、月を表す数字ＭＭと、日を表す数字ＤＤと、時刻のうちの時間を表す数字ｈｈと、時刻のうちの分を表す数字ｍｍと、駐車時間（該当する領収書が前払い用である場合には、有効駐車時間を意味する一方、該当する領収書が追加駐車料金用である場合には、延長駐車時間を意味する）の長さを表す数字ＴＴという、５つの要素を有している。
【０１００】
前記暗号化テーブルは、図１１（ｃ）に示すように、月を表す数字ＭＭを暗号化するために参照される月単位暗号化テーブルと、日を表す数字ＤＤを暗号化するために参照される日単位暗号化テーブルと、時刻のうちの時間を表す数字ｈｈを暗号化するために参照される時間単位暗号化テーブルと、時刻のうちの分を表す数字ｍｍを暗号化するために参照される分単位暗号化テーブルと、駐車時間の長さを表す数字ＴＴを暗号化するために参照される時間用暗号化テーブルとを有する。上述の５つの要素は、それぞれ、対応する暗号化テーブルを参照することにより、暗号化され、それにより、９桁の暗号データ１３０が作成される。
【０１０１】
本実施形態においては、暗号化テーブルが、毎日、更新されるが、２４時間より長い期間が経過するごとに更新する方式（同じ期間内においては、暗号化テーブルは更新されない）を採用したり、２４時間より長い期間を１周期として、同じ周期内においては、毎日、暗号化テーブルを更新する方式（ある周期内の期間と、別の周期内の期間との間では、暗号化テーブルが日々更新されるパターンが共通する）を採用することが可能である。
【０１０２】
一例においては、メモリ１０４において、暗号化テーブルが毎日更新される場合に、一月分の暗号化テーブルである暗号化テーブルセットが一月ごとに更新される。この場合、暗号化テーブルセットは、例えば、毎月、管理者が駐車場１０に出向くごとに、管理者によって更新される。
【０１０３】
また、一例においては、前述の５つの要素ＭＭ，ＤＤ，ｈｈ，ｍｍおよびＴＴのそれぞれにつき、暗号化テーブルにおける実データと暗号化データとの関係、すなわち、暗号化前の数字（例えば、「２月」を表す「２」）と暗号化後の符号との間の対応関係が、暗号化前の各数字ごとに乱数を発生させ、その乱数を暗号化後の符号として採用することにより、生成される。
【０１０４】
図５に示すステップＳ９において暗号化が終了すると、ステップＳ１０において、駐車券８０および領収書８１ａがプリンタ４０によって印刷されて発行される。領収書８１ａには、図７（ａ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１３０との双方として印刷されるのである。以上で、この発券・精算プログラムの今回の実行が終了する。
【０１０５】
具体的には、図７（ａ）に示すように、駐車券８０には、ユーザが支払った前払い駐車料金の額に見合った有効駐車時間の終了時刻と、駐車場１０の場所を特定するための表示とが印刷される。また、領収書８１ａには、入庫時刻と、ユーザが支払った前払い駐車料金の額と、前記有効駐車時間の終了時刻と、駐車場１０の場所を特定するための表示とが印刷される。領収書８１ａには、さらに、「ＡＢＣ−ＤＥＦ−ＡＢＣ」で例示された暗号データ１３０も併せて印刷される。この暗号データ１３０は、図１１（ｂ）に文章化して示すように、前記入庫時刻（これは、前払い駐車料金を支払った時刻とも、駐車時間の開始時刻とも、駐車券８０および領収書８１ａが発券された時刻とも等価である。）と前記有効駐車時間の長さ（これは、支払った前払い駐車料金の額と等価である。）とを表す実データが暗号化されたものである。
【０１０６】
これに対し、発券ボタン７０に代えて料金精算ボタン７４が押されると、ステップＳ１１において、図６（ｄ）に示す精算領収書発行画面が表示器３６の画面上に表示される。このとき、ユーザによる料金精算ボタン７４の操作によって確定された駐車料金の額が、追加駐車料金の額として表示される。この場合には、先行するステップＳ４において計算された駐車時間は、延長駐車時間を意味することになる。
【０１０７】
続いて、ステップＳ１２において、ステップＳ９と同様にして、ユーザが追加駐車料金を支払ったために領収書８１ｂが発券された時刻（これは、追加駐車料金を支払った時刻と等価である。）と前記延長駐車時間の長さ（これは、支払った追加駐車料金の額と等価である。）とを表す実データが、前記暗号化テーブルを参照することにより、暗号データ１４０に変換される。
【０１０８】
その後、ステップＳ１３において、領収書８１ｂがプリンタ４０によって印刷されて発行される。領収書８１ｂには、図７（ｂ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１４０との双方として印刷されるのである。以上で、この発券・精算プログラムの今回の実行が終了する。
【０１０９】
具体的には、図７（ｂ）に示すように、領収書８１ｂには、領収書８１ｂが発券された日時と、前記追加駐車料金の額と、駐車場１０の場所を特定するための表示とが印刷される。
【０１１０】
さらに、領収書８１ｂには、「１２３−４５６−７８９」で例示された暗号データ１４０も併せて印刷される。この暗号データ１４０は、領収書８１ｂが発券された日時と前記延長駐車時間の長さとを表す実データが暗号化されたものである。
【０１１１】
図７（ａ）には、駐車券８０および領収書８１ａの２枚綴りが正面図で示される一方、図７（ｂ）には、領収書８１ｂが正面図で示されている。駐車券８０および領収書８１ａの２枚綴りは、駐車券８０の２枚分に相当し、その２枚綴りにおいては、駐車券８０と領収書８１ａとは、サイズも構成も、互いに共通する。また、領収書８１ｂは、駐車券８０の１枚分に相当し、駐車券８０に対し、サイズも構成も共通する。以下、説明を簡単にするために、駐車券８０の構成のみを代表的に説明する。
【０１１２】
駐車券８０は、表層としての表示シート（印刷用紙）８２と、中間層としての粘着層８３（糊の層）と、裏層としてのセパレータ（分離シート、剥離紙）８４とがそれらの順に積層されて構成されている。粘着層８３は、表示シート８２の裏面に、容易には剥離しないように、塗布されており、表示シート８２をセパレータ８４の表面から剥がした状態では、粘着層８３の糊は、セパレータ８４の表面には付着しない。
【０１１３】
図７（ａ）に示すように、１枚分の駐車券８０においては、表示シート８２の外周が、セパレータ８４の外周より内側に位置するようになっている。ローラ４２に巻き付けられる原反は、連続したセパレータ８４に、隙間を隔てて一列に並んだ複数枚の表示シート８２（空白の状態）が接着されて構成されている。
【０１１４】
プリンタ４０における連続シート（連続したセパレータ８４）は、前記カッタにより切断され、その切断は、表示シート８２間の隙間の位置において行われ、表示シート８２に対する切断は行われない。一方、セパレータ８４のうち、表示シート８２間の隙間において露出する部分の表面には糊が付着していない。
【０１１５】
したがって、本実施形態によれば、連続シートの切断時に、前記切刃に粘着層８３の糊が付着せずに済み、一日に１回または数回、現場に派遣される管理者（例えば、サービス担当者、複数の駐車場を巡回して作業する作業者、見回りの監視員）による前記カッタのメンテナンスの頻度が減少し、ひいては、管理者にかかる人件費が低減される。
【０１１６】
ただし、本実施形態においては、領収書８１ｂについては、前記カッタにより、セパレータ８４が１枚分の長さで完全に切断されるのに対し、前記２枚綴りについては、セパレータ８４が２枚分の長さで完全に切断される。ただし、前述のように、前記２枚綴りについては、図７（ａ）に示すように、前記カッタにより、セパレータ８４が、駐車券８０と領収書８１ａとの間において、部分的に切断され、それにより、切取り線８９が形成される。
【０１１７】
図７（ａ）に示すように、駐車券８０の表示シート８２には、さらに、「駐車券」という文字列のすぐ上方に、両端を有する（閉じていない）切断線９０が存在する。その切断線９０は、ユーザが、表示シート８２のうちの一部を、残りの部分はセパレータ８４に接着されたままで、セパレータ８４から剥がすことを可能にするために存在する。図８（ｂ）に示すように、ユーザが、表示シート８２の一部（切断線９０によって包囲される領域）をセパレータ８４から剥がして、切断線９０の両端をつなぐ直線に沿って折り曲げると、その結果形成される折曲げ部９２の表面（粘着層８３のうち、その折曲げ部９２の裏面に塗布されている部分）が、糊面として露出する。図９（ａ）には、その折曲げ部９２が斜視図で示されている。
【０１１８】
本実施形態においては、ユーザによる駐車が不正駐車ではないことを証明するために、ユーザは、硬貨投入と引き換えに受領した駐車券８０を、図９（ｂ）に示すように、駐車車両のフロントガラス１１０の裏面に貼付することを要求される。そのため、ユーザは、図９（ａ）に示すように、駐車券８０のうちの指定箇所（切断線９０によって包囲された領域であって、最終的に折曲げ部９２となる部分）を局部的に剥がして折り曲げたうえで、その折曲げ部９２の表面を、図９（ｂ）に示すように、駐車車両のフロントガラス１１０の裏面に貼付する。これにより、図１０に示すように、駐車券８０の内容（特に、ユーザに対して許可された駐車時間帯の終了時刻を特定するための情報と、この駐車券８０が有効である駐車場１０の場所を特定するための表示）を、外部からいつでも目視することが可能となる。
【０１１９】
ユーザは、実際に駐車した時間が前記有効駐車時間を超過した場合には、追加駐車料金を支払うことを要求される。しかし、駐車場１０は、前述のように、無人式であり、かつ、必要な追加駐車料金を支払わない限り駐車車両の出庫を阻止する装置を有しないため、図１２に示すように、ユーザは、必要な追加駐車料金を支払った事実を、駐車場１０、車内、自宅などの場所から、携帯電話機や固定電話機などの通信機器により、遠隔地にある管理センタに居る駐車場管理者に通知することを要求される。
【０１２０】
この際、ユーザは、入庫時に発行された領収書８１ａに印刷されている暗号データ１３０と、出庫時に発行された領収書８１ｂに印刷されている暗号データ１４０との双方を読み上げて音声を発し、その音声を、上記通信機器により、駐車場管理者に送信することを要求される。
【０１２１】
ユーザが発した、暗号データ１３０，１４０を表す音声を受信すると、前記管理センタに居る駐車場管理者は、暗号解読器１８０の入力装置（例えば、キーボード、タッチスクリーン、マウスなど）を操作して、ユーザの音声に対応する記号を入力する。暗号データ１３０，１４０を入力するのであり、すると、暗号解読器１８０は、その入力された暗号データ１３０，１４０を、前記暗号化テーブルに適合する暗号解読テーブルであって暗号解読器１８０に搭載されたものに従い、実データに復元する。
【０１２２】
これにより、駐車場管理者は、管理対象である駐車場１０から場所的に離れた前記管理センタに居ながらにして、ユーザが実際に駐車していた時間である実際駐車時間の長さ（例えば、暗号データ１３０により特定される入庫時刻から、暗号データ１４０により特定される、追加駐車料金を支払った時刻までの経過時間の長さ）を知ることができ、さらに、ユーザが支払った駐車料金の合計額（例えば、暗号データ１３０により特定される前払い駐車料金の額と、暗号データ１４０により特定される追加駐車料金の額との和）を知ることもでき、ひいては、その駐車料金の合計額が、前記実際駐車時間の長さとの関係で不足していないか否かを正しく判断することができる。
【０１２３】
暗号解読器１８０に収容されている暗号解読テーブルは、駐車場管理者といえども、権限を有しない限り、知ることができないようになっているため、暗号解読テーブルに対するセキュリティが高い。
【０１２４】
以上の説明から明らかなように、本実施形態によれば、領収書８１ａおよび８１ｂを発行する時点で、領収書８１ａおよび８１ｂのそれぞれに暗号データ１３０，１４０を、ユーザが発音可能である記号で印刷し、さらに、その暗号データ１３０，１４０を音声で駐車場管理者に送信することをユーザに要求するだけで、駐車管理者は、駐車料金の不足の有無を正しく判断できる。よって、ユーザは、大きな負担を課されることなく、前記有効駐車時間を超過した駐車を安心して行うことが可能となり、駐車場１０の使い勝手ひいては稼動率が向上する。
【０１２５】
ところで、駐車場が前払いであるか後払いであるかを問わず、また、駐車場が無人であるか有人であるかを問わず、駐車場において発券機によりユーザに対して発行された駐車票のような駐車票の記載事項につき、ユーザと、遠隔地にいる駐車場管理者とが、内容を確認することが必要となる場合がある。
【０１２６】
この場合、ユーザは、駐車票そのものを駐車場管理者に提示すべく、その駐車票を持参したり、ファクリミリにて送信することが可能であるが、面倒である。そのため、電話等の通信機器を用いて、ユーザと遠隔地にいる駐車場管理者とが、駐車票の内容を確認することができれば、ユーザの負担が軽減される。しかし、この場合には、駐車場管理者は、駐車票そのものを目視して検証することができず、ユーザからの発言のみを頼りに、駐車票の記載事項を確認せざるを得ない。
【０１２７】
したがって、遠隔地にいる駐車場管理者にとっては、駐車票の記載事項に関するユーザからの発言のみからでも、ユーザの発言の真正性を客観的に判断できるようにすることが望ましい。この要望を満たすことは特に、例えば、前述の出庫阻止装置が設置されていない前払い式の無人駐車場において不正駐車を防止するために有効である。
【０１２８】
なお付言するに、本実施形態においては、ユーザが、暗号データ１３０および１４０の送信を、音声入力によって行うが、例えば、その音声入力に代えて、データ入力（例えば、実在するかまたは仮想的なキーを用いたキー入力、イメージリーダを用いた画像入力）によって行うことが可能である。
【０１２９】
以上の説明から明らかなように、本実施形態においては、説明の便宜上、制御基板３４のうち、図５に示すステップＳ９およびＳ１２を実行する部分が、前記（１）、（２）および（５）項における「暗号化部」の一例を構成し、また、制御基板３４のうち、図５に示すステップＳ１０およびＳ１３を実行する部分が、前記（１）および（５）項における「プリンタ制御部」の一例を構成し、また、制御基板３４のうち、図５に示すステップＳ６およびＳ９を実行する部分が、前記（２）項における「第１プリンタ制御部」の一例を構成し、また、制御基板３４のうち、図５に示すステップＳ７およびＳ１２を実行する部分が、同項における「第２プリンタ制御部」の一例を構成していると考えることが可能である。
【０１３０】
さらに、本実施形態においては、説明の便宜上、制御基板３４のうち、図５に示すステップＳ２およびＳ３を実行する部分が、前記（４）項における「投入金額計算部」の一例を構成し、また、制御基板３４のうち、図５に示すステップＳ２およびＳ４を実行する部分が、同項における「駐車時間計算部」の一例を構成し、また、制御基板３４のうち、図５に示すステップＳ２およびＳ５を実行する部分が、同項における「表示器制御部」の一例を構成し、また、領収書８１ａおよび８１ｂがいずれも、前記（６）項における「駐車票」の一例を構成していると考えることが可能である。
【０１３１】
次に、本発明の第２実施形態に従う発券機１９０を説明する。ただし、本実施形態は、第１実施形態と共通する要素が多いため、共通する要素については、同一の符号または名称を付して引用することにより、重複した説明を省略し、異なる要素についてのみ、詳細に説明する。
【０１３２】
本実施形態に従う発券機１９０は、第１実施形態に従う発券機２０とは異なり、ユーザが、駐車場１０に駐車したい時間帯として、夜間のみをカバーする駐車時間帯（例えば、午後６時００分から翌日の午前８時００分までの時間帯）と、少なくとも昼間の一部をカバーする駐車時間帯（例えば、入庫日時が日没前の時刻である時間帯や、出庫日時が日出後の時刻である時間帯）という駐車時間帯とのうちのいずれかを選択することが可能であるように構成されている。
【０１３３】
すなわち、発券機１９０は、ユーザが、駐車の種類（「駐車モード」）として、夜間のみをカバーする駐車時間帯に駐車する夜間駐車（「夜間駐車モード」）と、少なくとも昼間の一部をカバーする駐車時間帯に駐車する通常駐車（「通常駐車モード」）」とのうちのいずれかを選択し、その選択結果に応じた額の駐車料金を前払いすることが可能であるように構成されているのである。
【０１３４】
そのため、図１３および図１４に示すように、発券機１９０は、第１実施形態に従う発券機２０に対する追加部品として、ユーザが希望する駐車モードをデフォールトである通常駐車モードから夜間駐車モードに切り換えるためにユーザによって押して操作される夜間駐車ボタン２００と、夜間駐車モードが現在選択されていることを表示するために点灯させられる夜間駐車ランプ２０２とを有するように構成されている。
【０１３５】
夜間駐車ボタン２００は、実在する物理的なスイッチとして構成されているが、これに限定されず、例えば、表示器３６の画面上に表示される仮想的なスイッチ（例えば、キー、アイコン）として構成してもよい。夜間駐車ボタン２００は、扉２４の前面に配置されている。夜間駐車ボタン２００に対しては、扉２４が閉じている状態でも、外部からのアクセスが可能である。したがって、夜間駐車ボタン２００については、ユーザによって常時、操作可能である。
【０１３６】
以上要するに、本実施形態においては、夜間駐車ボタン２００が、「ユーザが前記駐車場を利用したい時間帯として、夜間のみをカバーする駐車時間帯と、少なくとも昼間の一部をカバーする駐車時間帯とを含む複数の駐車時間帯のうちのいずれかを選択するためにユーザによって操作される実在するかまたは仮想的な操作部」の一例を構成しているのである。
【０１３７】
図１５には、発券機１９０内の制御基板３４内のコンピュータ１００によって実行される発券・精算プログラムがフローチャートで概念的に表されている。コンピュータ１００は、発券機１９０の電源投入中、その発券・精算プログラムを繰り返し実行する。
【０１３８】
以下、この発券・精算プログラムをさらに具体的に説明するが、この発券・精算プログラムは、図５に示す発券・精算プログラムと共通するステップが多いため、共通するステップについては、同一の符号を付して引用することによって重複した説明を省略し、異なるステップについてのみ、詳細に説明する。
【０１３９】
この発券・精算プログラムの各回の実行時には、まず、ステップＳ１０１において、デフォールトの駐車モード、すなわち、通常駐車を行うためにユーザが支払うことが必要な駐車料金の額（前述の料金設定の例を参照）が表示器３６の画面上に表示される。このステップＳ１０１においては、図６（ａ）に示す初期画面も表示される。
【０１４０】
次に、ステップＳ１０２において、夜間駐車ボタン２００の出力信号に基づき、有効な駐車モードを通常駐車モードから夜間駐車モードに切り換えるためにユーザが夜間駐車ボタン２００を押したか否かが判定される。
【０１４１】
夜間駐車ボタン２００が押されていない場合には、ステップＳ１０２の判定がＮＯとなり、以下、ステップＳ２−Ｓ５が、第１実施形態と同様にして実行される。その後、発券ボタン７０が押されると、ステップＳ６の判定がＹＥＳとなり、その後、ステップＳ８が第１実施形態と同様にして実行される。
【０１４２】
続いて、ステップＳ１０６において、ユーザが駐車場１０に入庫した入庫時刻（またはユーザが前払い駐車料金を支払った日時、駐車券８０を発券した時刻、駐車時間の開始時刻など）および前記有効駐車時間の長さ（またはユーザが支払った前払い駐車料金の額など）を表すとともに、今回の領収書８１ａが前払い用領収書というカテゴリに分類されることを表す実データであってユーザが直接的に解読可能であるものが、前記暗号化テーブルを参照することにより、図１６（ａ）に示すように、ユーザが解読することはできないが一義的に発音することはできる暗号データ２１０に変換される。暗号化が行われるのであり、これにより、暗号データ２１０が作成される。
【０１４３】
図１６（ａ）に示す一例においては、実データが、具体的には、「入庫時刻が、２０１１年２月１３日の１３時２０分であり、有効駐車時間が、２０１１年２月１３日の１７時２０分までであり、領収書８１ａが、前払い用領収書というカテゴリに分類される（領収書８１ａのタイトルが単に「領収書」と印刷される）。」ということを表すデータである。ここに、「有効駐車時間が、２０１１年２月１３日の１７時２０分までである」ということは、「有効駐車時間の長さが４時間である」ということと等価である。
【０１４４】
よって、この実データの一般的な構成の一例（実データの桁数削減のため、西暦の表記を省略した）は、図１７（ｂ）に示すように、「入庫時刻が、ＭＭ月ＤＤ日のｈｈ時ｍｍ分であり、有効駐車時間の長さが、ＴＴ時間であり、領収書のカテゴリが、カテゴリＸＸ（前払い用領収書か追加駐車料金用領収書）に分類される。」ということを表すデータである。
【０１４５】
本実施形態においては、暗号データ２１０が、図１７（ａ）に示すように、一列に並んだ１１桁（それより多い桁数としても、それより少ない桁数としてもよい。）の記号で定義されている。各桁の記号は、例えば、０から９までの１０個の数字と複数のアルファベットとのうちのいずれかとして選択される。その複数桁の記号は、複数のグループに分割されて領収書８１ａ上に印刷され、隣接するグループ同士がハイフンでつながれており、これにより、ユーザは、複数桁の記号を、一息で一気に発音するのではなく、いくつかの区切りを入れて、より楽にかつ正確に発音できるようになっている。
【０１４６】
この実データの一般的な構成を説明するに、図１７（ｃ）に示すように、この実データは、月を表す数字ＭＭと、日を表す数字ＤＤと、時刻のうちの時間を表す数字ｈｈと、時刻のうちの分を表す数字ｍｍと、駐車時間（今回支払われた駐車料金が前払い駐車料金である場合には、有効駐車時間を意味する一方、今回支払われた駐車料金が追加駐車料金である場合には、延長駐車時間を意味する）の長さを表す数字ＴＴと、領収書のカテゴリを表す数字ＸＸという、６つの要素を有している。
【０１４７】
本実施形態における暗号化テーブルは、図１７（ｃ）に示すように、月を表す数字ＭＭを暗号化するために参照される月単位暗号化テーブルと、日を表す数字ＤＤを暗号化するために参照される日単位暗号化テーブルと、時刻のうちの時間を表す数字ｈｈを暗号化するために参照される時間単位暗号化テーブルと、時刻のうちの分を表す数字ｍｍを暗号化するために参照される分単位暗号化テーブルと、駐車時間の長さを表す数字ＴＴを暗号化するために参照される時間用暗号化テーブルと、領収書のカテゴリを有する表す数字ＸＸを暗号化するために参照されるカテゴリ用暗号化テーブルとを有する。上述の６つの要素は、それぞれ、対応する暗号化テーブルを参照することにより、暗号化され、それにより、１１桁の暗号データ２１０が作成される。
【０１４８】
図１５に示すステップＳ１０６において暗号化が終了すると、ステップＳ１０において、第１実施形態と同様にして、駐車券８０および領収書８１ａがプリンタ４０によって印刷されて発行される。領収書８１ａには、図１６（ａ）に示すように、駐車料金の支払いまたは駐車時間に関する日時と金額と駐車時間の長さとのうちの少なくとも一つと領収書のカテゴリ（今回は、前払い用領収書というカテゴリに属する）とに関する同じ情報が、ユーザが解読できる実データと、ユーザが解読できない暗号データ２１０との双方として印刷されるのである。
【０１４９】
具体的には、図１６（ａ）に示すように、駐車券８０には、ユーザが支払った前払い駐車料金の額に見合った有効駐車時間の終了時刻と、駐車場１０の場所を特定するための表示とが印刷される。
【０１５０】
また、領収書８１ａには、入庫時刻と、ユーザが支払った前払い駐車料金の額と、前記有効駐車時間の終了時刻と、駐車場１０の場所を特定するための表示と、領収書８１ａのカテゴリ（この例においては、「領収書」というタイトルが、領収書８１ａが前払い用領収書というカテゴリに分類されることを意味している）が印刷される。領収書８１ａには、さらに、「ＡＢＣ−ＤＥＦ−ＡＢＣ−ＸＸ」で例示された暗号データ２１０も併せて印刷される。
【０１５１】
その後、印刷された駐車券８０および領収書８１ａが排出口６４を通過して排出され、それら駐車券８０および領収書８１ａは、ユーザに受領される。続いて、ステップＳ１０７において、夜間駐車ランプ２０２に対して消灯指令が出され、それにより、夜間駐車ランプ２０２が点灯している場合には、夜間駐車ランプ２０２が消灯させられる。以上で、この発券・精算プログラムの今回の実行が終了する。
【０１５２】
これに対し、発券ボタン７０に代えて料金精算ボタン７４が押されると、図１５のステップＳ１１において、図６（ｄ）に示す精算領収書発行画面が表示器３６の画面上に表示される。このとき、ユーザによる料金精算ボタン７４の操作によって確定された駐車料金の額が、追加駐車料金の額として表示される。
【０１５３】
続いて、ステップＳ１０８において、ユーザが追加駐車料金を支払ったために領収書８１ｂが発券された時刻（これは、追加駐車料金を支払った時刻と等価である。）と前記延長駐車時間の長さ（これは、支払った追加駐車料金の額と等価である。）と領収書８１ｂのカテゴリ（今回は、追加駐車料金用領収書というカテゴリに属する）とを表す実データが、前記暗号化テーブルを参照することにより、暗号データ１４０に変換される。
【０１５４】
その後、ステップＳ１３において、領収書８１ｂがプリンタ４０によって印刷されて発行される。領収書８１ｂには、図１６（ｂ）に示すように、駐車料金の支払いまたは駐車時間に関する日時と金額と駐車時間の長さとのうちの少なくとも一つと領収書のカテゴリとに関する同じ情報が、ユーザが解読できる実データと、ユーザが解読できない暗号データ１４０との双方として印刷されるのである。以上で、この発券・精算プログラムの今回の実行が終了する。
【０１５５】
具体的には、図１６（ｂ）に示すように、領収書８１ｂには、領収書８１ｂが発券された日時と、前記追加駐車料金の額と、駐車場１０の場所を特定するための表示と、領収書８１ｂのカテゴリ（この例においては、「精算領収書」というタイトルが、領収書８１ｂが追加駐車料金用領収書というカテゴリに分類されることを意味している）が印刷される。さらに、領収書８１ｂには、「１２３−４５６−７８９−ＹＹ」で例示された暗号データ１４０も併せて印刷される。この暗号データ１４０は、領収書８１ｂが発券された日時と前記延長駐車時間の長さと領収書８１ｂのカテゴリとを表す実データが暗号化されたものである。
【０１５６】
その後、印刷された領収書８１ｂが排出口６４を通過して排出され、その領収書８１ｂは、ユーザに受領される。続いて、ステップＳ１０７において、夜間駐車ランプ２０２に対して消灯指令が出され、それにより、夜間駐車ランプ２０２が点灯している場合には、夜間駐車ランプ２０２が消灯させられる。以上で、この発券・精算プログラムの今回の実行が終了する。
【０１５７】
以上、図１５に示す発券・精算プログラムの実行内容を、夜間駐車ボタン２００が押されることなく、発券機１９０に硬貨が投入された場合について説明したが、駐車モードを通常駐車モードから夜間駐車モードに切り換えるためにユーザが、硬貨投入前に、夜間駐車ボタン２００を押した場合には、ステップＳ１０２の判定がＹＥＳとなり、ステップＳ１０３に移行する。
【０１５８】
このステップＳ１０３においては、時計１０２が示す現在時刻を参照することにより、現在、夜間であるか否か、具体的には、午後６時００分から翌日の午前８時００分までの時間帯であるか否かが判定される。現在、夜間である場合には、ステップＳ１０３の判定がＹＥＳとなり、ステップＳ１０４において、夜間駐車モードが選択されていることを表示するために夜間駐車ランプ２０２が点灯させられる。続いて、ステップＳ１０５において、表示器３６の画面上の表示内容が、通常駐車用の駐車料金の金額から夜間駐車用の駐車料金の金額に切り換えられる。
【０１５９】
夜間駐車用の料金設定の一例によれば、当日の午後６時００分以後から、翌日の午前８時００分までの間は、駐車時間の長さを問わず一律に１００円である。この例の料金設定のもとでは、例えば、図１８に示す例のように、ユーザが１００円を前払い駐車料金として支払うと、コンピュータ１００は、入庫時刻から翌日の午前８時００分までの間の時間を有効駐車時間として計算することになる。
【０１６０】
ただし、追加駐車料金の額は、前述の通常駐車用の料金設定のもとに決定される。よって、例えば、ユーザが３００円を追加駐車料金として支払うと、２時間が延長駐車時間として計算される。
【０１６１】
その後、ステップＳ２に移行し、現在表示されている夜間駐車用の駐車料金と同額の硬貨の投入が待たれる。
【０１６２】
これに対し、夜間駐車ボタン２００が押されたが、現在、夜間ではない場合、すなわち、操作を許可されていない時間帯に夜間駐車ボタン２００が押された場合には、ステップＳ１０３の判定がＮＯとなり、ステップＳ１０４およびＳ１０５がスキップされ、ステップＳ２に移行する。この場合には、夜間駐車ボタン２００の今回の操作は誤操作であるため、それが無効化され、その結果、表示されている駐車料金の金額が、通常駐車用の駐車料金の金額に維持されるとともに、夜間駐車ランプ２０２が消灯したままとされる。よって、ステップＳ２においては、現在表示されている通常駐車用の駐車料金と同額の硬貨の投入が待たれることになる。
【０１６３】
夜間駐車モードが選択された後に硬貨が投入され、その後、発券ボタン７０が押されると、、ステップＳ３−Ｓ６，Ｓ８，Ｓ１０６およびＳ１０が実行され、その結果、図１８に示すように、プリンタ４０が、夜間駐車用の駐車券８０を印刷して発行する。この駐車券８０は、図１６（ａ）に示す通常駐車用の駐車券８０に対し、印刷内容が部分的に異なるのみで、他の要素については共通する。
【０１６４】
具体的には、図１８に示すように、夜間駐車用の駐車券８０においては、この駐車券８０が夜間駐車用であることを表示するために、「夜間」という文字が印刷されている。さらに、この駐車券８０においては、ユーザに対して許可された駐車時間帯の終了時刻すなわち有効駐車時間の終了時刻が翌日の午後８時００分であることも印刷されている。
【０１６５】
また、領収書８１ａには、暗号データ２１０が印刷され、その暗号データ２１０は、有効駐車時間の長さに関するデータとして、通常駐車の場合とは異なり、時間の長さを表すデータではなく、夜間駐車であることを表すデータを有する。夜間駐車の場合には、出庫時刻にかかわらず、有効駐車時間の終了時刻が固定されているために、各回の夜間駐車において、有効駐車時間の長さがちょうど１時間の整数倍であるとは限らず、これに対し、図１７に示す通常駐車の例においては、駐車時間ＴＴは、時間単位で計算されるからである。
【０１６６】
管理者は、駐車場１０に出向いたとき、夜間駐車用の駐車券８０が駐車車両の室内に配置されていることに気づくと、現在時刻が、その駐車券８０に印刷されている有効駐車時間の終了時刻より前であるか否かを判断する。現在時刻が有効駐車時間の終了時刻より前であれば、管理者は、前記駐車車両の駐車が不正駐車ではないと判断する。
【０１６７】
以上の説明から明らかなように、本実施形態によれば、領収書８１ａおよび８１ｂに暗号コード１３０，１４０がそれぞれ、対応する領収書のカテゴリーが前払い用領収書であるか追加駐車料金用領収書であるかを区別できるように生成されて印刷される。以下、このような対策を講じた背景および効果を説明する。
【０１６８】
ユーザは、実際の駐車時間が前記有効駐車時間を超過した場合には、出庫時、追加駐車料金を発券機２０に対して支払い、その後、発券ボタン７０ではなく、料金精算ボタン７４を押すことを要求される。今回は、発券機２０に、前払い用領収書８１ａではなく、追加駐車料金用領収書８１ｂを発行してもらうためである。
【０１６９】
しかし、発券機２０の性能の都合上、ユーザが誤って発券ボタン７０を押してしまっても、発券機２０は、その誤操作を無効にできない。
【０１７０】
これに対し、本実施形態によれば、領収書８１ａおよび８１ｂに暗号コード１３０，１４０がそれぞれ、対応する領収書のカテゴリーが前払い用領収書であるか追加駐車料金用領収書であるかを区別できるように生成されて印刷される。
【０１７１】
ユーザによる追加駐車料金の支払いに応答し、発券機２０は、いずれかのカテゴリーに属する駐車票を印刷して発行し、その後、ユーザは、その駐車票に印刷されている暗号データを、入庫時に取得した前払い用領収書８１ａに印刷されている暗号データ１３０と共に、自ら発音することにより、通信機器を介して、前記駐車場管理者に送信する。
【０１７２】
駐車場管理者は、ユーザから受信した音声を解読し、その解読結果に基づき、ユーザに対して今回発行された駐車票（ユーザが今回購入した駐車票）が追加駐車用金用領収書８１ｂであり、かつ、ユーザが出庫時に支払った追加駐車料金の額が適切であったか否かを判断できる。すなわち、駐車場管理者は、間違った駐車票をユーザが購入した事実の有無と、不適切な額の追加駐車料金をユーザが支払った事実の有無とを、その駐車票そのものを目視することなく、正確に判断できるのである。
【０１７３】
また、駐車場管理者は、間違った駐車票をユーザが購入したと判断した場合、ユーザが購入した駐車票が間違っているという事実をユーザに指摘することができる。これにより、駐車場管理者は、ユーザに、今回の購入操作に誤りがあったことを認識させることができるとともに、同じ間違いをユーザが繰り返すことを予防できる。また、駐車場管理者は、ユーザに対し、そのユーザが、誤って購入した前払い用領収書８１ａと一緒に発行された駐車券８０を不正に使用して不正駐車を行わないように、警告できる。
【０１７４】
以上、本発明のいくつかの実施形態を図面に基づいて詳細に説明したが、これらは例示であり、前記［発明の概要］の欄に記載の態様を始めとして、当業者の知識に基づいて種々の変形、改良を施した他の形態で本発明を実施することが可能である。
【図１】
2020057435.tif 000003
【図２】
2020057435.tif 000004
【図３】
2020057435.tif 000005
【図４】
2020057435.tif 000006
【図５】
2020057435.tif 000007
【図６】
2020057435.tif 000008
【図７】
2020057435.tif 000009
【図８】
2020057435.tif 000010
【図９】
2020057435.tif 000011
【図１０】
2020057435.tif 000012
【図１１】
2020057435.tif 000013
【図１２】
2020057435.tif 000014
【図１３】
2020057435.tif 000015
【図１４】
2020057435.tif 000016
【図１５】
2020057435.tif 000017
【図１６】
2020057435.tif 000018
【図１７】
2020057435.tif 000019
【図１８】
2020057435.tif 000020